(57)【要約】      （修正有）【課題】取り付け取り外しが簡単にでき、ワンタッチで水道管の水平部とハンドル部分の下部をピッタリと覆ってそれらを完全に保護し、その状態のまま、ハンドル部分の上部と吐水パイプを被覆し、水道を使用するときはその被覆を取り、使用後に又被覆するという一連の操作が容易にできるようにし、年少者、高齢者または障害者等の弱者にもやさしい蛇口の保護カバーを提供する。【解決手段】冬季などに凍結し易い水道管の、特に水平部とハンドル部分の下部をピッタリと覆う断熱材を左右１−Ｒ、１−Ｌに分割し、その下端縁を左右の外套部２−Ｒ、２−Ｌと軸１３−２により回動自在に連結し、上端縁で両者を固定し、断熱材に連結する後壁６に、寒気や強風や塵挨などにさらされる吐水パイプとハンドル部分の上部を被覆する蓋７の後端縁を、回動軸８で回動自在に連結した。【選択図】図３
0003223015.tif 000002
【実用新案登録請求の範囲】
【請求項１】
吐水パイプとそれに連なる水道管の水平部と水平部に立設されたハンドル部分とから成る蛇口において、
ハンドル部分の下部と水平部の両方に密接する断熱材を、水平部の軸線を含む垂直面で分割して左断熱材と右断熱材とし、
前記左断熱材と右断熱材をそれぞれ内側に格納するとともにその外周面全体を被覆する左外套部と右外套部を設けて、左外套部の上部を左側方に述べ出し右外套部の上部を右側方に述べ出し、両外套部の下端縁を回動自在に連結し、上端縁には回動の終期に両者を閉じつける固定手段を付設し、
左外套部の後端縁に後壁を連設し、後壁の上端縁に覆蓋の後端縁を回動自在に連結し、覆蓋をその下端縁が左右の外套部の上部の伸べ出し部分に密接する形にして後壁と覆蓋とによりハンドル部分上部と吐水パイプを被覆するように構成した蛇口の保護カバー。
【請求項２】
左外套部の後端縁と後壁の連設において、ハンドル部分の下部の高さ位置に、前記左外套部の上端縁に左側方に伸び出る左延長板を連接し、前記右外套部の上端縁に右側方に伸び出る右延長板を連接し、左延長板の左端縁と右延長板の右端縁にそれぞれ左外壁と右外壁を立設し、左外壁、左延長板または左外套部の後端縁に後壁を連設し、覆蓋の下端縁が左右の外壁の上端縁に密接するように構成したことを特徴とする請求項１に記載の蛇口の保護カバー。
【請求項３】
後壁の上端縁と覆蓋の後端縁の連結において、覆蓋の左後端部および右後端部を後壁の左上端部および右上端部に回動軸で連結し、後壁の左上端部と右上端部の間の後壁上縁部分を弾性体とし、覆蓋の左後端部と右後端部にそれぞれ内方へ伸び後端縁が縦断面で山形になった係合片を設け、覆蓋を閉止した状態から山形の頂部に至るまで山形の後側斜面が弾性体の上端面に接触し続け、山形の頂部から覆蓋が全開した状態に至るまで山形の前側斜面が弾性体の上端面に接触し続け、その終期に全開状態で係止されるように構成したことを特徴とする請求項１または請求項２に記載の蛇口の保護カバー。
【請求項４】
覆蓋の上面に使用者好みのイラストまたは模型を装設したことを特徴とする請求項１、請求項２または請求項３に記載の蛇口の保護カバー。
【請求項５】
覆蓋又はその近傍に覆蓋の開閉に連動して効果音を発する効果音キットを付設したことを特徴とする請求項１、請求項２、請求項３または請求項４に記載の蛇口の保護カバー。
【考案の詳細な説明】
【技術分野】
【０００１】  本考案は、常時外気にさらされている蛇口、すなわち吐水パイプとそれに連なる水道管の水平部と水平部に立設されたハンドル部分とから成る蛇口を、特に寒気や強風や塵埃などから保護する器具に関する。
【背景技術】
【０００２】  蛇口を保護する先行技術としては、公開実用平成２−７８６５５号に記載された「蛇口の凍結防止装置」がある。この技術は、蛇口と水道管を断熱材で覆い凍結を防ぐことを課題とし、左右一対の断熱材から成る蛇口カバーとハンドル部を覆う蓋体とから成り、これら三部品の固定は、合わせ目に設けた凹凸部を係合させるかまたはテープを貼るかして行ない、水道を使用するときは蓋体を取り、使用が終わればまた蓋体をかぶせ上記した固定をするという手段を用いている。
【先行技術文献】
【特許文献】
【０００３】
【特許文献１】公開実用平成２−７８６５５号
【考案の概要】
【考案が解決しようとする課題】
【０００４】  本考案の技術課題は、取り付け取り外しが簡単にでき、ワンタッチで水道管の水平部とハンドル部分の下部をピッタリと覆ってそれらを完全に保護し、その状態のまま、ハンドル部分の上部と吐水パイプを被覆し、水道を使用するときはその被覆をとり、使用後にまた被覆するという一連の操作が容易にできるようにし、特に、年少者、高齢者または障害者等の弱者にもやさしくした保護カバーを提供することにある。
【課題を解決するための手段】
【０００５】  本考案は、冬季などに凍結し易い水道管の、特に水平部とハンドル部分の下部をピッタリと覆う断熱材を左右に分割し、その下端縁を回動自在に連結し、上端縁で両者を固定し、断熱材に連結する後壁に、寒気や強風や塵埃などにさらされる吐水パイプとハンドル部分の上部を被覆する蓋の後端縁を、回動自在に連結した。
【考案の効果】
【０００６】  請求項１の考案においては、次の効果が奏される。
ハンドル部分の下部と水道管の水平部の両方に密接する断熱材を、水平部の軸線を含む垂直面で分割して左断熱材と右断熱材とし、左断熱材と右断熱材をそれぞれ内側に格納するとともにその外周面全体を被覆する左外套部と右外套部を設けて、両者の下端縁を回動自在に連結し、上端縁に回動の終期に両者を閉じつける固定手段を付設したから、取り付けに際しては、左外套部と右外套部を左右に開き、水道管の水平部に下方から当てつけ、覆蓋を伴う左外套部と右外套部を回動させて断熱材を水道管の水平部とハンドル部分の下部に密着させ、両外套部の上端縁を固定する。取り外すにはこの逆の操作をすればよい。こうして簡単に取り付け取り外しができ、ワンタッチで水道管の水平部とハンドル部分の下部がピッタリと覆われる。そのため、特に水が滞留し凍結し易い部分が、容易にしかも完全に保護される。【０００７】  そして、覆蓋の下端縁が左右の外套部の上部に密接する形になっているから、覆蓋を閉止したとき、ハンドル部分の上部と吐出パイプはほぼ完全に被覆され、寒気や強風や塵埃などの侵入を防ぐことができる。
また、左外套部の上部を左側方に述べ出し右外套部の上部を右側方に述べ出し覆蓋の下端縁が左右の外套部の伸べ出し部分に密接する形になっているから、左外套部の上部と右外套部の上部との離隔間隔が広がり覆蓋の左の下端縁と右の下端縁との離間間隔が長くなるため、覆蓋を開いてハンドルを回すとき手が覆蓋の下端縁に触れてハンドルが回しにくくなるようなことが起こらない。【０００８】  吐水パイプとそれに連なる水道管の水平部と水平部に立設されたハンドル部分とから成る蛇口においては、吐水パイプは通常不使用時には水があまり溜まらず冬季の凍結の恐れも少ないから、そこを断熱材で覆う必要は殆どない。本考案は、（前記の先行技術と異なり、）吐水パイプを断熱材で覆わずにその材料を節約し、製造コストを低減した。【０００９】  請求項２の考案においては、次の効果が奏される。
ハンドル部分の下部の高さ位置に、前記左外套部の上端縁に左側方に伸び出る左延長板を連接し、前記右外套部の上端縁に右側方に伸び出る右延長板を連接し、左延長板の左端縁と右延長板の右端縁にそれぞれ左外壁と右外壁を立設し、左外壁、左延長板または左外套部の後端縁に後壁を連設したから、（覆蓋の開閉を左右の断熱材と覆蓋の三者をばらばらにして行なう先行技術と異なり、）水が滞留し凍結し易い水道管の水平部とハンドル部分の下部を全面的に覆って完全に保護し、同時にその状態のまま、寒気や強風や塵埃などにさらされる吐水パイプとハンドル部分の上部を前者と別個に独立して保護することができる。【００１０】  また、左延長板の左端縁と右延長板の右端縁にそれぞれ左外壁と右外壁を立設し、覆蓋の下端縁が左右の外壁の上端縁に密接するように構成したから、覆蓋の左の下端縁と右の下端縁との離間距離が長くなり、覆蓋を開いてハンドルを回すとき、手が覆蓋の下端縁に触れハンドルが回しにくくなることがない。
しかも、覆蓋は、その下端縁が左右の外壁の上端縁に密接する形になっているから、延長板と外壁などを設けないものに比し、その形を小型で簡単なものとすることができ、軽くて開閉操作も容易になり、蛇口の外観がまとまり美しくなる。【００１１】  蛇口の多くは、庭や公園など屋外に設置され強風その他の外力を受けている。後端を回動自在に連結された蛇口の覆蓋は、外力を受けると閉止位置にとどまっていず容易に開閉したり全開状態を維持できなくなったりして、吐水パイプとハンドル部分の汚染や覆蓋の破損を引き起こしやすい。これに対処するには、連結部分にコイルばねなどを用いた制御機構を付設することが考えられるが、その機構は複雑になりコストもかさむ。請求項３の考案は、この問題を複雑で高価な手段を用いることなく解決した。【００１２】  すなわち、後壁と覆蓋の連結において、覆蓋の左後端部および右後端部を後壁の左上端部および右上端部に回動軸で連結し、後壁の左上端部と右上端部の間の後壁上縁部分を弾性体とし、覆蓋の左後端部と右後端部にそれぞれ、内方へ伸び後端縁が縦断面で山形になった係合片を設け、覆蓋を閉止した状態から山形の頂部に至るまで山形の後側斜面が弾性体の上端面に接触し続け、山形の頂部から覆蓋が全開した状態に至るまで山形の前側斜面が弾性体の上端面に接触し続け、その終期に全開状態で係止されるように構成したから、覆蓋を閉じると、覆蓋の係合片の山型の後側斜面が弾性体の上端面に接触し覆蓋はその閉止位置にとどめられる。覆蓋を開き始めると、係合片の山型の後側斜面は弾性体の上端面を擦り上げながら弾性体を後方へしならせる。覆蓋をさらに開くと、弾性体の上端面が係合片の山型の頂部を通過し係合片の山型の前側斜面に接触するようになる。そして、弾性体の上端面は係合片の山型の前側斜面を擦り下ろしながら終期の全開時に至り、覆蓋はその位置に係止される。【００１３】  したがって、本考案は、複雑で高価な手段を使うことなく、外力を受けても覆蓋は妄りに開閉せず、閉止位置や全開位置に安定的にとどまっている。特に覆蓋が全開位置にあるとき、その後端部の係合片は弾性体の上端縁によって弾力で抑えつけられているため、覆蓋はその全開姿勢をしっかりと保持される。
また、覆蓋と後壁は、左右二つの回動軸で連結されているから、覆蓋の開閉はぐらつかずスムーズに行える。弾性体は二つの回動軸の間に設けられているから、その横幅を調整することによって弾力を調整でき、使用者の体力状態に適応させる（たとえば、幼稚園に設置する蛇口なら、弾力を弱くし開閉し易くする）ことも可能となる。【００１４】  請求項４の考案においては、特に次の効果が奏される。
覆蓋の上面に使用者好みのイラストまたは模型を装設したから、とりわけ幼児などに対しては、目を引きやすく遊んだ後の手洗いなどに、喜び勇んで駆け寄ることが期待される。その魅力に加えて、幼児などが自分一人で覆い蓋を開けられるように弾性体の弾力を調整したり、覆蓋の係合片の山形の形状やそれと弾性体の上端面との間に生じる摩擦力を調整したりすれば、使用者に一層使用され易い蛇口となる。【００１５】  請求項５の考案においては、特に次の効果が奏される。
覆蓋又はその近傍に覆蓋の開閉に連動して効果音を発する効果音キットを付設したから、とりわけ年少者や聴力の劣る人たちに対し、蛇口の場所を知らせる上で効果的である。視覚のみでなく聴覚にも訴えられる点で使用者の範囲が広がり高い効用価値を持つ。
また、蛇口を多く使用する人たちのいる場所を選んで設置し、またはその人たちの好みに応じた楽曲を流し癒やしの効果を発揮させることも容易にできる。
【図面の簡単な説明】
【００１６】
【図１】本考案の覆蓋と模型の一実施例を示す斜視図である。
【図２】本考案の実施例につき、蛇口への取り付けを図解した斜視図である。
【図３】本考案の実施例を分解して各部品の連係関係を示した斜視図である。
【図４】本考案の実施例の一部を断面し覆蓋を閉止状態にしたときの側面図である。
【図５】本考案の実施例の一部を断面し覆蓋を全開状態にしたときの側面図である。
【図６】本考案の他の実施例の主要部分であり、（ａ）は後壁の正面図で、（ｂ）は左外套部と後壁の斜視図である。
【図７】本考案の他の実施例の主要部分について、覆蓋を開く過程を図解したもので、（ａ）は覆蓋が閉じている状態を、（ｂ）は覆蓋が開かれていく状態を、（ｃ）は覆蓋が全開した状態を示す説明図である。
【図８】本考案の他の実施例の主要部分について、覆蓋を開く過程を図解したもので、特に、係合片と弾性体の上端面についての他の実施例を示す説明図である。
【考案を実施するための形態】
【００１７】  断熱材には、ポリスチレンフォームその他が用いられる。その素材は、保護カバーを水道管の水平部分とハンドル部分に当てつけたときにそれらに密接できるものでなくてはならない。左外套部と右外套部を閉じつける固定手段は公知のものでよいが簡単に固定できるタイプのものが望ましい。覆蓋とそれに関連する部品の形状については、覆蓋が閉止位置にあるとき吐水パイプの出口を除く空間部分が隙間なく被覆されるように設計する必要がある。
【実施例】
【００１８】  以下、添付図面に従って、実施例を説明する。
請求項１または請求項２の考案において、左外套部２―Ｌと右外套部２―Ｒの下端縁は、図３の軸受け１３−１に軸１３−２を差し込むことにより連結される。後壁６の上端縁と覆蓋７の後端縁とは、図３に明示されているように軸受け１４−１に軸８を差し込むことにより行なう。そして、キックスプリング１４−２を介挿して、閉止位置に保持された覆蓋７を開いて全開位置に維持する際の助けとする。なお、連結手段はこれらに限らず他の方法によってもよいことは勿論である。【００１９】  設置場所の壁面と後壁６との間に隙間ができ外気に触れる恐れがあるときは、必要に応じて防水クッション１６（図３参照。）によりその隙間を埋める。
覆蓋７が閉止位置にしっかりとどまらないときは、覆蓋７の内側に突起１５を設け、それを延長板４または外壁５の端縁に係らせるようにすればよい。【００２０】    請求項３の考案において、覆蓋７は、図６に示す後壁の左上端部６−Ｌと右上端部６−Ｒに回動軸（図示を省略）で連結される。弾性体９は、弾性を持つ後壁６の一部としてもよいし弾性を持たない後壁と別体のものとしてもよい。弾性を持つ後壁６の一部としたときは、図６（ａ）に示す切り込み１７を入れ、その部分が一層たわみやすくなるようにする。切り込み１７の深さを調節することによりたわみやすさ（弾力）に強弱がつけられるから、覆蓋７を開閉する容易さが適宜調整できる。【００２１】  図７および図８に示す係合片１０−Ｌと１０−Ｒ（図示されない）に設ける山型の後側斜面１０−１と前側斜面１０−２は、覆蓋７を開くとき、前述したように弾性体９の上端面９−Ｌと上端面９−Ｒ（図示されない）と擦り合う。その際生じる摩擦力が大きければ覆蓋７を開きにくくなるし、小さければ開きやすくなる。山型の形状や摩擦面の状態などは、そのことを考慮して選択する。
覆蓋７が全開したときその姿勢をしっかり保たせるため、図８に示すように係合片１０の山型の後側斜面１０−１を凹面にし、それを弾性体９の上端面９の凸面とかみ合わせるようにしてもよい。【００２２】  請求項４の考案において、模型１１の装設は、図３に例示したように、模型１１の内側の爪１１−１と１１−２を覆蓋７の係止孔７−１と７−２に挿し込むことにより行う。この方法なら動物やキャラクターなど多種多様の模型をあらかじめ準備しておき、使用者や時と場合に応じて、適宜簡単に取り換えることができる。【００２３】  請求項５の考案において、効果音キット１２は、覆蓋７またはその近傍に付設される。図３に覆蓋７に付設した一例を示す。覆蓋７の内側に係合部７−３と７−４を設け、まずキット１２の凸部１２−１を係合部７−３に係合させ、次いで凸部１２−２を係合部７−４に係合させる。そして、覆蓋７が閉じているとき（図４を参照）は、キット１２に内蔵されたプッシュスイッチ１２−３が後壁６に押し付けられ電源が入らないようにし、覆蓋７が開いているときまたは全開のとき（図５を参照）は、プッシュスイッチ１３−３が後壁６から離れて電源が入り音楽が流れるようにした。
なお、効果音キット１２を付設した蛇口は、上述の音響効果を最大限に発揮できる場所に設置されることが望ましい。
【符号の説明】
【００２４】  １    断熱材
２    外套部
３    固定手段
４    延長板
５    外壁
６    後壁
７    覆蓋
８    回動軸
９    弾性体
１０    係合片
１１    イラストまたは模型
１２    効果音キット
【図１】
0003223015.tif 000003
【図２】
0003223015.tif 000004
【図３】
0003223015.tif 000005
【図４】
0003223015.tif 000006
【図５】
0003223015.tif 000007
【図６】
0003223015.tif 000008
【図７】
0003223015.tif 000009
【図８】
0003223015.tif 000010